(57)【要約】      （修正有）【課題】収納体の内表面を損傷させないコンパスを提供する。【解決手段】刺針６が先端に設けられた針脚２と、筆記芯Ｓを先端から露出可能な筆記脚３と、上記針脚の基端側と上記筆記脚の基端側とを連結すると共に上記針脚と上記筆記脚との開脚角度を調整可能な連結部とを備えるコンパス１であって、上記筆記脚は筆記芯の送り出し装置を有すると共に、相互に近接させた上記針脚２の先端と上記筆記脚３の先端とを被覆するキャップ４０を備える。【選択図】図３
0003178069.tif 000002
【実用新案登録請求の範囲】
【請求項１】
刺針が先端に設けられた針脚と、上記筆記芯を先端から露出可能な筆記脚と、上記針脚の基端側と上記筆記脚の基端側とを連結すると共に上記針脚と上記筆記脚との開脚角度を調整可能な連結部とを備えるコンパスであって、上記筆記脚は筆記芯の送り出し装置を有すると共に、相互に近接させた上記針脚の先端と上記筆記脚の先端とを被覆するキャップを備えることを特徴とするコンパス。
【請求項２】
上記筆記脚は、上記送り出し装置を収納するケースと、上記ケース側面部に露出して配置されると共に上記筆記脚の軸方向にスライドして上記筆記芯を送り出す操作片とを有し、上記ケースには、上記針脚の反対側となる位置に、軸方向に沿ったスリットが形成され、上記操作片は、上記ケースの外部に露出した操作端と、筆記芯を排出させうる芯タンク筒をノック可能なノック端とが上記ケースのスリットを介して繋がっていることを特徴とする請求項１に記載のコンパス。
【請求項３】
上記筆記脚は、上記送り出し装置を囲繞する先端筒と、上記連結部に連結された基端筒と、上記先端筒の端部と上記基端筒の端部とに嵌合して上記先端筒と上記基端筒とを接続するジョイント筒とを有し、上記先端筒と上記基端筒と上記ジョイント筒とで上記送り出し装置を収納するケースが構成されていることを特徴とする請求項１に記載のコンパス。
【請求項４】
上記送り出し装置は、上記筆記芯を内部に補給可能な開放端を有する芯タンク筒を具備し、
上記ジョイント筒には、上記芯タンク筒の開放端に連通した補給穴が形成されていることを特徴とする請求項３に記載のコンパス。
【請求項５】
上記針脚と上記筆記脚とは、夫々、横断面半円形状に形成され、互いに当接させた場合には、細長円筒状の軸部を形成しうることを特徴とする記載の請求項１に記載のコンパス。
【考案の詳細な説明】
【技術分野】
【０００１】
本考案は、コンパスの改良に関する。
【背景技術】
【０００２】
一般に、円を描画したり、線分の長さを移したりするのに用いるコンパスが用いられている。
このようなコンパスとして、従来、筆記芯の送り出し装置を、コンパスの筆記脚に内蔵させたものがある。
例えば、下記特許文献１には、コンパスに着脱可能な芯ホルダのホルダ本体と、このホルダ本体に収納された送り出し装置とを備え、ホルダ本体の基端開口部側方に軸方向の切り割り部を設けると共に、送り出し装置の芯タンク筒の外周には切り割り部を通して突出するノック部の基端部を設けることにより、ノック部をスライドすることで送り出し装置を作動させるように構成され、使用に応じて筆記芯を送り出すことがえきるコンパスが開示されている。
【０００３】
しかしながら、下記特許文献１のコンパスは、筆記脚の先端に配設されてシャープ゜芯をガイドするガイドパイプや針脚の先端に配設された刺針が鋭利であることから、使用者が保持した場合にシャープ゜芯をガイドするガイドパイプや針脚の先端に配設された刺針によって傷を負う可能性があったり、鞄やペンケース等の収納体にコンパスを収納した際に収納体の内表面を損傷させる恐れがあるという、不具合があった。
【特許文献１】実開昭６１−１９２８９０号公報
【考案の開示】
【考案が解決しようとする課題】
【０００４】
本考案はこのような従来からの不具合を解決するためのものであって、その課題は、保持した使用者の手を傷つけることがなく、かつ収納体の内表面を損傷させることがないと同時に、使用状態に応じて筆記芯を送り出すことができるコンパスを提供することにある。
【課題を解決するための手段】
【０００５】
上記課題達成のため、請求項１記載の考案にあっては、刺針が先端に設けられた針脚と、上記筆記芯を先端から露出可能な筆記脚と、上記針脚の基端側と上記筆記脚の基端側とを連結すると共に上記針脚と上記筆記脚との開脚角度を調整可能な連結部とを備えるコンパスであって、上記筆記脚は筆記芯の送り出し装置を有すると共に、相互に近接させた上記針脚の先端と上記筆記脚の先端とを被覆するキャップを備えることを特徴とする。
【０００６】
請求項１記載に係るコンパスにあっては、相互に近接させた針脚の先端と筆記脚の先端とをキャップが被覆するので、針脚の先端と筆記脚の先端とが外部に露出せずに被覆される。
【０００７】
請求項２記載の考案にあっては、上記筆記脚は、上記送り出し装置を収納するケースと、上記ケース側面部に露出して配置されると共に上記筆記脚の軸方向にスライドして上記筆記芯を送り出す操作片とを有し、上記ケースには、上記針脚の反対側となる位置に、軸方向に沿ったスリットが形成され、上記操作片は、上記ケースの外部に露出した操作端と、筆記芯を排出させうる芯タンク筒をノック可能なノック端とが上記ケースのスリットを介して繋がっていることを特徴とする。
請求項２記載に係るコンパスにあっては、ケースに形成されたスリットを介して、操作片の操作端とノック端とが繋がっているので、操作端をスリットに沿ってスライドさせることでノック端が芯タンク筒をノックさせて筆記芯を排出する。
【０００８】
請求項３記載の考案にあっては、上記筆記脚は、上記送り出し装置を囲繞する先端筒と、上記連結部に連結された基端筒と、上記先端筒の端部と上記基端筒の端部とに嵌合して上記先端筒と上記基端筒とを接続するジョイント筒とを有し、上記先端筒と上記基端筒と上記ジョイント筒とで上記送り出し装置を収納するケースが構成されていることを特徴とする。
【０００９】
請求項４記載の考案にあっては、上記送り出し装置は、上記筆記芯を内部に補給可能な開放端を有する芯タンク筒を具備し、上記ジョイント筒には、上記芯タンク筒の開放端に連通した補給穴が形成されていることを特徴とする。
請求項４記載に係るコンパスにあっては、芯タンク筒の開放端に補給穴が連通するので、外部と芯タンク筒の開放端とが補給穴を介して連通する。
【００１０】
請求項５記載の考案にあっては、上記針脚と上記筆記脚とは、夫々、横断面半円形状に形成され、互いに当接させた場合には、細長円筒状の軸部を形成しうることを特徴とする。
請求項５記載に係るコンパスにあっては、針脚と筆記脚とを互いに当接させた状態では細長円筒状を形成し、いわゆる「ペン型のコンパス」となる。
【考案の効果】
【００１１】
請求項１に記載された考案に係るコンパスにあっては、相互に近接させた針脚の先端と筆記脚の先端とをキャップが被覆するので、針脚の先端と筆記脚の先端とが外部に露出しない。従って、針脚の先端と筆記脚の先端とがキャップで被覆されるので、保持した使用者の手を傷つけることがなく、かつコンパスを収納体に収納したとしても針脚の先端と筆記脚の先端とで収納体の内表面を損傷させることがない。その結果、収納体の内表面を損傷させないコンパスを提供することができる。
また、同時に、筆記脚は筆記芯の送り出し装置を有することから、使用状態に応じて、筆記芯を追加して送り出したい場合には、容易に筆記芯を送り出し、快適に使用することができる。
【００１２】
請求項２に記載された考案に係るコンパスにあっては、ケース軸方向に形成されたスリットを介して、操作片の操作端とノック端とが繋がっているので、操作端をスリットに沿ってスライドさせることでノック端が筆記芯を排出させうる芯タンク筒をノックする。従って、ケースの側面部に露出する操作端を軸方向に沿ってスライドさせることにより筆記芯を送り出すことができる。その結果、上記筆記芯の軸方向に沿う、使用者の指にとって自然かつ容易な操作により、使用時には無理なく筆記芯を送り出すことが可能になる。
【００１３】
請求項３に記載された考案に係るコンパスにあっては、請求項３記載に係るコンパスにあっては、先端筒の端部と基端筒の端部とにジョイント筒が嵌合して先端筒と基端筒とを接続するように構成されているので、先端筒の端部と基端筒の端部とに対してジョイント筒を嵌装することで先端筒と基端筒とジョイント筒とが接続される。その結果、先端筒と基端筒とジョイント筒とを容易に接続することができることから、製造作業の容易な、筆記芯の送り出し装置を有するコンパスを提供することができる。
【００１４】
請求項４に記載された考案に係るコンパスにあっては、芯タンク筒の開放端に補給穴が連通するので、外部と芯タンク筒の開放端とが補給穴を介して連通する。従って、基端筒をジョイント筒から分離すれば、補給穴を介して芯タンク筒の開放端に筆記芯を補給することができる。その結果、筆記芯の補充を用意に行うことができる。
【００１５】
請求項５に記載された考案に係るコンパスにあっては、針脚と筆記脚とを当接させたることにより、「ペン型コンパス」になるので、製品としての外観品質を向上させることができる。その結果、使用者の手指を傷つけることがなく、かつ収納体内部を傷つけることもなく、さらに、優れた外観意匠性を有するコンパスを提供することができる。
【図面の簡単な説明】
【００１６】
【図１】本考案に係るコンパスの一実施の形態を示す正面図である。
【図２】本考案に係るコンパスの一実施の形態を示す左側面図である。
【図３】本考案に係るコンパスの他の一実施の形態を示す要部断面図であって、図２におけるＩ−Ｉ線断面図である。
【図４】本考案に係るコンパスの一実施の形態を示す分解斜視図であって、左側面及び正面から斜めに見た筆記脚を示している。
【図５】本考案に係るコンパスの一実施の形態を示す他の分解斜視図であって、右側面及び背面から斜めに見た筆記脚を示している。
【考案を実施するための最良の形態】
【００１７】
以下、添付図面に示す実施の形態に基づき、本考案に係るコンパスを詳述する。
【００１８】
図１は、本実施形態に係るコンパス１の正面図であり、図２は、コンパス１の左側面図であり、図３は、コンパス１の要部断面図であって図２のＩ−Ｉ線断面図である。
図１及び図３に示すように、コンパス１は、刺針６が先端２ａに配設された針脚２と、筆記芯Ｓを先端３ａから排出できる筆記脚３と、針脚２の他端２ｂ側と筆記脚３の他端３ｂ側とを連結すると共に針脚２と筆記脚３との開脚角度を調整できるように構成された連結部４とにより構成されている。
【００１９】
図３に示すように、針脚２は、合成樹脂で略棒状に成形された針脚ケース５の先端５ａに刺針６が固定されている。
【００２０】
図３に示すように、針脚ケース５の、筆記脚３側に位置する内側部５ｃには、筆記脚３の突部を収納するための凹部５ｂが成形されている。また、針脚ケース５の、内側部５ｃに対して反対側に位置する外側部５ｄは、針脚ケース５の横断面が半円状に成形されている。この針脚ケース５の先端５ａは、針脚ケース５の中央側に比べて小径に成形されている。
【００２１】
図４は、左側面及び正面から斜めに見た筆記脚３の分解斜視図であり、図５は、右側面及び背面から斜めに見た筆記脚３の分解斜視図である。
図４及び図５に示すように、筆記脚３は、筆記芯Ｓの送り出し装置１０と、送り出し装置を収納するケース２０と、ケース２０から露出すると共に送り出し装置１０を操作可能な操作片３０とを有している。
【００２２】
図３〜図５に示すように、送り出し装置１０は、周知のものであり、筒状に形成されて筆記芯Ｓを格納する芯タンク筒１１やスプリング１４、芯チャック（図示せず）、チャックリング（図示せず）等で構成されている。
【００２３】
芯タンク筒１１は、基端には開放端１１ｂが設けられており、この開放端１１ｂを介して芯タンク筒１１の内部に筆記芯Ｓを補充する。この芯タンク筒１１の外周面の開放端１１ａ側には、フランジ状のノック部１１ａが形成されている。
【００２４】
この送り出し装置１０は、ノック部１１ａを先端側に向けてノックすると、芯チャックがチャックリングから筆記芯Ｓと共に前進して開状態となる。一方、ノックを離すと芯チャックが後退して閉状態となる。このようなノック操作を連続することにより、筆記芯Ｓを口金部１３の先端から送り出すようになっている。
【００２５】
ケース２０は、それぞれ合成樹脂で成形された先端筒２１と基端筒２２とジョイント筒２３とが嵌合して構成されている。
【００２６】
図５に示すように、先端筒２１は、両端開放型の円筒部材であり、先端筒２１の先端２１ａから基端（先端筒の端部）２１ｂまで筒穴が貫通して形成されている。この先端筒２１の先端２１ａは、外周半分側（組立時において針脚２に対向する側）に位置する内側部２１ｃ側が大きく切り欠かれており、内側部２１ｃの反対側に位置する外側部２１ｄが先端筒２１の中央側に比べて小径に成形されている。
【００２７】
この先端筒２１の外側部２１ｄには、図４に示すように、基端２１ｂから先端２１ａ側に向けて筒軸Ｐ１に沿って延びると共に外部と筒穴とを連通させるスリット２１ｅと、このスリット２１ｅの両側において側面視で矩形状に凹んだガイド凹部２１ｆと、ガイド凹部２１ｆにおける基端２１ｂ側のスリット２１ｅを挟む位置で互いに半球状に突出する一対の半球突部２１ｇ，２１ｇとが形成されている。
【００２８】
基端筒２２は、図５に示すように、端部２２ａ側が閉塞された円筒として形成されている一方、基端２２ｂが連結部４に連結されうるように円板状に形成されている。
【００２９】
この基端筒２２の外側部２２ｄ（組立時において針脚２に背向する外周半分側）には、図４に示すように、先端２２ａから基端２２ｂ側に向けて筒軸Ｐ２に沿って延びるスリット２２ｅと、このスリット２２ｅの両側において側面視で矩形状に凹んだガイド凹部２２ｆと、ガイド凹部２２ｆにおける基端２２ｂ側のスリット２２ｅを挟む位置で互いに半球状に突出する一対の半球突部２２ｇ，２２ｇとが形成されている。
【００３０】
ジョイント筒２３は、図４及び図５に示すように、ジョイント筒２３の筒軸Ｐ３に直交する断面において、断面形状が円弧状になった湾曲板部２４と、筒状になった嵌込筒部２５とからなる。
【００３１】
湾曲板部２４は、図４及び図５に示すように、ガイド凹部２１ｆ，２２ｆと同様の曲率で湾曲している。この湾曲板部２４の湾曲凸面には、湾曲凸面の外周に沿って延びる滑止溝２４ｂが幅方向に沿うと共に筒軸Ｐ３の延在方向に連続して複数形成されている。筒軸Ｐ３の延在方向における両端の滑止溝２４ｂには、それぞれ一対の半球突部２１ｇ，２１ｇ、２２ｇ，２２ｇに嵌合可能な一対の円孔２４ｃ，２４ｃが形成されている。
【００３２】
嵌込筒部２５は、長さ方向に貫通する筒穴により筆記芯Ｓの補給穴２５ｓが形成され、それぞれ小径に形成されて湾曲板部２４に対して間隙を介して対向する一端部２５ａ及び他端部２５ｂと、これら一端部２５ａ及び他端部２５ｂに挟まれる位置でフランジ状に成形されていると共に湾曲板部２４に連繋するフランジ部２５ｃとが形成されている。
【００３３】
このような構成のジョイント筒２３は、図４及び図５に示すように、一端部２５ａが先端筒２１の筒穴に挿し込まれ、且つ、湾曲板部２４と一端部２５ａとの間隙に先端筒２１のガイド凹部２１ｆが挿し込まれた状態で、先端筒２１の基端２１ｂに嵌合している。この状態においては、フランジ部２５ｃに先端筒２１の基端２１ｂが当接していると共に、一端部２５ａ側の一対の円孔２４ｃ，２４ｃに先端筒２１の一対の半球突部２１ｇ，２１ｇが嵌め込まれて嵌合状態を保持する。
そして、送り出し装置１０の芯タンク筒１１の開放端１１ｂが、ジョイント筒２３の嵌込筒部２５の補給穴２５ｓに収納され、開放端１１ｂと補給穴２５ｓとが連通する。
【００３４】
同様に、ジョイント筒２３は、他端部２５ｂが基端筒２２の筒穴に挿し込まれた状態で、且つ、湾曲板部２４と基端筒２２との間隙にガイド凹部２２ｆが挿し込まれた状態で、基端筒２２の先端２２ａに嵌合している。この状態においては、フランジ部２５ｃに基端筒２２の先端２２ａが当接していると共に、他端部２５ｂ側の一対の円孔２４ｃ，２４ｃに基端筒２２の一対の半球突部２１ｇ，２１ｇが嵌め込まれて、この嵌合状態を保持する。
【００３５】
このような構成により、ジョイント筒２３は、先端筒２１の基端２１ｂと基端筒２２の先端２２ａとに嵌合して先端筒２１と基端筒２２とを接続している。この状態においては、筒軸Ｐ１，Ｐ２，Ｐ３が筆記脚３の中心軸Ｐに重なっている。
【００３６】
操作片３０は、合成樹脂で成形されており、外側部２１ｄと同様の曲率で湾曲板状に形成された操作端３１と、筒状になったノック端３２と、これら操作端３１とノック端３２とを連繋させるブリッジ部３３とで構成されている。
【００３７】
操作端３１は、湾曲凸面において凹凸状に滑止３１ａが成形されている。この操作端３１の他端部３１ｂは、ジョイント筒２３の湾曲板部２４の先端２５ａに合わせ込み可能な形状となっている。
【００３８】
ノック端３２は、その外径が先端筒２１の筒穴内径よりも小さく、その内径が芯タンク筒１１の外径よりも大きく且つ芯タンク筒１１のノック部１１ａの外径よりも小さく成形されている。
【００３９】
ブリッジ部３３は、スリット２１ｅ内を通過可能な大きさに成形されており、操作端３１の湾曲凹面の他端部３１ｂ側とノック端３２の外周面とを連繋している。
【００４０】
このような部材で概略構成される筆記脚３は、次のように組み立てられている。
まず、先端筒２１の筒内部に送り出し装置１０を挿し込む。次に、操作端３１のブリッジ部３３をスリット２１ｅに位置させるようにして、操作端３１のノック端３２を先端筒２１の筒内部に挿入する。そして、操作端３１のノック端３２を芯タンク筒１１の開放端１１ｂを挿通させ、ノック端３２の端面を芯タンク筒１１のノック部１１ａに当接させる。
【００４１】
次に、ジョイント筒２３で先端筒２１と基端筒２２とを接続する。この際、ジョイント筒２３を単独で先端筒２１に嵌め込んでもよいし、基端筒２２を嵌め込んだジョイント筒２３を先端筒２１に嵌め込んでもよい。
【００４２】
ジョイント筒２３を先端筒２１と基端筒２２とに嵌め込む際には、それぞれガイド凹部２１ｆ，２２ｆによって湾曲板部２４がガイドされることから、部材間の位置決めが容易となる。そして、ジョイント筒２３の一対の円孔２４ｃ，２４ｃに対して、先端筒２１と基端筒２２とに形成された一対の半球突部２１ｇ，２１ｇが、嵌め込まれて部材間の嵌合状態が保持される。
このようにして、筆記脚３が組み立てられる。
【００４３】
筆記芯Ｓを芯タンク筒１１に補充する際には、基端筒２２からジョイント筒２３を離間させて先端筒２１の筒穴に筆記芯Ｓを挿入すれば、筒穴に連通した芯タンク筒１１の開放端１１ｂに筆記芯Ｓが供給される。
【００４４】
このような構成のコンパス１は、針脚２と筆記脚３とを相互に近接させた場合に、先端筒２１の内側部２１ｃと、ジョイント筒２３のフランジ部２５ｃと、基端筒２２の内側部２２ｃとが、針脚２の針脚ケース５の内側部５ｃに成形された凹部５ｂに収納される。この状態において、コンパス１は、長さ方向に直交する断面の各断面輪郭が円形状となる、細長円筒状の軸部を構成し、いわゆる「ペン型コンパス」となる。
【００４５】
コンパス１は、相互に近接させた針脚２の先端２ａと筆記脚３の先端３ａとに着脱可能に設けられたキャップ４０を具備している。このキャップ４０は、針脚２の先端２ａと筆記脚３の先端３ａとに被着可能なキャップ本体４１と、キャップ本体４１の外周面に配設されたクリップ４２とで構成されている。
【００４６】
以上説明したように、本実施形態に係るコンパス１にあっては、相互に当接させた針脚２の先端２ａと筆記脚３の先端３ａとにキャップ４０が被着するので、先端２ａと先端３ａとが外部に露出せずに被覆される。従って、針脚２の先端２ａと筆記脚３の先端３ａとが外部に露出せずに被覆されるので、コンパス１を収納体に収納したとしても針脚２の先端２ａと筆記脚３の先端３ａとで収納体の内表面を損傷させることがない。その結果、コンパス１は、保持時に使用者の手指や収納体の内表面を針脚の先端２ａや筆記脚３の先端３ａが損傷させることがない。
【００４７】
また、コンパス１にあっては、ケース２０の先端筒２１に形成されたスリット２１ｅを介して、操作片３０の操作端３１とノック端３２とが繋がっているので、操作端３１をスリット２１ｅに沿ってスライドさせることでノック端３２が芯タンク筒１１をノックする。従って、ケース２０のサイドに露出する操作端３１をスライドさせると筆記芯Ｓを送り出すことができる。
その結果、簡単な操作で筆記芯Ｓを送り出すことが可能になると共に、送り出し装置１０に対して操作端を同軸状に配置した場合に比べてスマートな外観意匠を獲得することができる。
【００４８】
また、コンパス１にあっては、先端筒２１の基端２１ｂと基端筒２２の先端２２ａとにジョイント筒２３が嵌合して先端筒２１と基端筒２２とを接続するので、先端筒２１の基端２１ｂと基端筒２２の先端２２ａとに対してジョイント筒２３を嵌装することで先端筒２１と基端筒２２とジョイント筒２３とが接続され、先端筒２１の基端２１ｂと基端筒２２の先端２２ａとに対してジョイント筒２３を嵌脱することで先端筒２１と基端筒２２とジョイント筒２３とが分解される。その結果、先端筒２１と基端筒２２とジョイント筒２３とを容易に接続及び分離することができる。
【００４９】
また、コンパス１にあっては、ジョイント筒２３を先端筒２１の基端２１ｂに接続した場合に芯タンク筒１１の開放端１１ｂに補給穴２５ｓが連通するので、外部と芯タンク筒１１の開放端１１ｂとが補給穴２５ｓを介して連通する。従って、先端筒２１をジョイント筒２３から分離させずに、基端筒２２をジョイント筒２３から分離すれば、補給穴２５ｓを介して筆記芯Ｓを補給することができる。
その結果、先端筒２１をジョイント筒２３から分離させる必要がなく、筆記芯Ｓの補充のための分離・接続作業を簡素化することができる。
【００５０】
また、コンパス１にあっては、コンパクトでデザイン性が向上するので、収納体に対する収納容易性と優れた外観意匠性とを得ることができる。
【００５１】
以上、本考案の一実施形態を説明したが、本考案は上述した実施形態に限らず、種々の設計変更が可能である。例えば、上述した実施形態においては、キャップ４０にクリップ４２を設けたが、省略してもよい。
【００５２】
また、コンパス１の長さ方向に直交する各断面における断面輪郭は、円形状に限られず、多角形状や楕円形状であってもよい。
【符号の説明】
【００５３】
１…コンパス
２ａ…針脚の先端
２ｂ…針脚の基端
２…針脚
３…筆記脚
３ａ…筆記脚の先端
３ｂ…筆記脚の基端
４…連結部
６…刺針
１０…送り出し装置
１１…芯タンク筒
１１ａ…開放端
２０…ケース
２１…先端筒
２１ａ…先端
２１ｂ…基端（先端筒の端部）
２１ｅ…スリット
２１ｆ…ガイド凹部
２１ｇ…半球突部  
２２…基端筒
２２ａ…先端（基端筒の端部）
２２ｂ…基端
２３…ジョイント筒
２４…湾曲板部
２４ａ…先端
２４ｂ…滑止溝
２４ｃ…円孔
２５ｓ…補給穴
３０…操作片
３１…操作端
３２…ノック端
３３…ブリッジ部
４０…キャップ
４１…キャップ本体
４２…クリップ
Ｐ…筆記脚の中心軸
Ｓ…筆記芯
【図１】
0003178069.tif 000003
【図２】
0003178069.tif 000004
【図３】
0003178069.tif 000005
【図４】
0003178069.tif 000006
【図５】
0003178069.tif 000007